(57)【要約】【課題】  遊技機のガラス扉を開けることなく球皿のみを開閉可能にした上でパチンコ機内部に対する不正操作を防止する。【解決手段】  パチンコ機ＰＭが、前枠２と、前枠２の前面下部に前枠２に対して開閉可能に取り付けられた球皿３０と、球皿３０の上部に位置し前枠２に対して開閉可能に取り付けられたガラス扉５と、球皿３０の施錠もしくは解錠操作をする施錠操作部９とを備え、パチンコ機ＰＭに設けられた球皿施錠機構が、球皿３０の左右に延びて取り付けられ施錠操作部９の施錠もしくは解錠操作に応じて上下動可能なシャッタブレード６０を備えたシャッタユニット４０を有して構成され、球皿３０およびガラス扉５が前枠２に閉止された状態で、シャッタブレード６０の上動によりシャッタブレード６０の上部とガラス扉５の下端部とが対向して球皿３０の上部とガラス扉５の下部との隙間が略全長に渡って閉塞されて球皿３０が閉鎖施錠される。【選択図】  図５
2005245801.tif 000002
【特許請求の範囲】
【請求項１】
前枠と、前記前枠の前面下部に前記前枠に対して開閉可能に取り付けられた球皿と、前記球皿の上部に位置し前記前枠に対して開閉可能に取り付けられたガラス扉と、前記球皿の前面に設けられ前記球皿の施錠もしくは解錠操作をする施錠操作部とを備える弾球遊技機の球皿施錠機構であって、
前記球皿に左右に延びて取り付けられ前記施錠操作部の施錠もしくは解錠操作に応じて前記球皿に対して上下動可能な可動部材を備えて構成されるシャッタ装置を有し、
前記球皿および前記ガラス扉が前記前枠に閉止された状態で、前記可動部材の上動により前記可動部材の上部と前記ガラス扉の下部とが対向して前記球皿の上部と前記ガラス扉の下部との隙間が略全長に渡って閉塞されて前記球皿が閉鎖施錠されることを特徴とする弾球遊技機の球皿施錠機構。
【発明の詳細な説明】
【技術分野】
【０００１】
本発明は、弾球遊技機の球皿施錠機構に関し、詳細には、弾球遊技機に設けられた前枠に対して横開き開閉される球皿の裏側に球皿を閉鎖施錠し、遊技機不正操作を防止するために取り付けられた球皿施錠機構に関する。
【背景技術】
【０００２】
上記のような弾球遊技機（パチンコ機）には、外郭方形状の外枠にヒンジ機構および施錠機構を利用して前枠が横開き開閉および閉鎖保持可能に取り付けられており、ガラス扉およびガラス扉の下部に位置して球皿が、いずれもヒンジ機構を介して前枠に横開き開閉可能に取り付けられて構成されている。
【０００３】
このように構成される球皿は、球皿を構成する部材である当て板の裏側に設けられていて遊技球をパチンコ機正面の遊技盤に向けて発射する打球発射装置の不具合等が生じたことによる球皿の開放が必要なとき以外には、遊技者によってみだりに開閉されてパチンコ機内部が触れられるのを防ぐために、前枠に対して閉鎖施錠されている。また、球皿が閉鎖施錠されている状態でも、球皿とガラス扉との隙間から針金などを侵入させてパチンコ機内部の回路基板の不正操作等がされるのを防止するため、不正操作防止機構が球皿とガラス扉との隙間に設けられている。この不正操作防止機構は、特許文献１にも記載があるように、球皿の上部に球皿の上方に延びる係合部を設け、球皿およびガラス扉が前枠に閉止された状態では、当該係合部とガラス扉の下部後面とが係合して、球皿とガラス扉との隙間をその略全長に渡って塞ぐようなかたちで球皿を閉鎖保持しているものである。
【特許文献１】特開２００３−１９０５４５号公報
【発明の開示】
【発明が解決しようとする課題】
【０００４】
ところで、このように構成された弾球遊技機においては、球皿およびガラス扉が前枠に閉止された状態では球皿とガラス扉が係合しているため、球皿を単独で前枠に対して開放させることができなかった。このため、球皿を開放させたい場合には、その都度まずガラス扉を施錠もしくは解錠させるための施錠装置の解錠操作をしてガラス扉を開放させ、その上で球皿を前枠に対して開放させざるを得ず、球皿を開放させる操作が煩わしいものであった。一方、このような煩わしい操作を避けるために、ガラス扉の施錠・解錠操作に拘らず球皿が前枠に対して開閉可能にするためには、球皿の上部にガラス扉の側に延びる係合部を設けることができず、球皿およびガラス扉が前枠に閉止された状態で球皿とガラス扉との隙間が塞がれないため、針金などを球皿とガラス扉との隙間に侵入させてパチンコ機内部が不正操作等されるおそれがあった。
【０００５】
以上のような課題に鑑みて、本発明ではガラス扉を解錠して開放させることなく球皿のみを前枠に対して開閉させることが可能で、且つ、パチンコ機内部に対する不正操作を防止する不正操作防止機構を備えた弾球遊技機の球皿施錠機構を提供することを目的とする。
【課題を解決するための手段】
【０００６】
上記課題を解決するために、本発明に係る弾球遊技機の球皿施錠機構は、前枠と、前枠の前面下部に前枠に対して開閉可能に取り付けられた球皿と、球皿の上部に位置し前枠に対して開閉可能に取り付けられたガラス扉と、球皿の前面に設けられ球皿の施錠もしくは解錠操作をする施錠操作部とを備える弾球遊技機（例えば、実施形態におけるパチンコ機ＰＭ）の球皿施錠機構であって、球皿に左右に延びて取り付けられ施錠操作部の施錠もしくは解錠操作に応じて球皿に対して上下動可能な可動部材（例えば、実施形態におけるシャッタブレード６０）を備えて構成されるシャッタ装置（例えば、実施形態におけるシャッタユニット４０）を有し、球皿およびガラス扉が前枠に閉止された状態で、可動部材の上動により可動部材の上部とガラス扉の下部とが対向して球皿の上部とガラス扉の下部との隙間が略全長に渡って閉塞されて球皿が閉鎖施錠される。
【発明の効果】
【０００７】
本発明に関する弾球遊技機の球皿施錠機構によれば、球皿を構成する当て板に球皿を独自に施錠・解錠させる機構が設けられており、ガラス扉を解錠して開放することなく球皿のみを前枠に対して開放させることができる構成になっている。このため、球皿を開放させる必要があるときにガラス扉を解錠して開放するといった煩わしい操作が不要である。しかも、球皿およびガラス扉が前枠に対して閉止された状態で球皿施錠機構を施錠すれば、球皿の上部とガラス扉の下部後面とが係合されて球皿とガラス扉との隙間をその略全長に渡って塞ぐようなかたちで球皿が閉鎖保持され、球皿とガラス扉との隙間から針金等が侵入されることを防止できるため、パチンコ機内部の不正操作等が行われるおそれがない。
【発明を実施するための最良の形態】
【０００８】
以下、本発明に係る弾球遊技機の球皿施錠機構の好ましい実施形態について、添付図面を参照しながら詳細に説明する。まず、上記球皿施錠機構を有するパチンコ機ＰＭの概要構成を図１を参照して説明する。なお、図１はパチンコ機ＰＭの外観正面図を示している。
【０００９】
パチンコ機ＰＭは、外郭方形枠サイズに構成されて縦向きの固定保持枠をなす外枠１の開口前面に、これに合わせた方形枠サイズに構成されて開閉搭載用の前枠２が正面左側上下に配設されたヒンジ部材３ａ，３ｂで横開き開閉および着脱が可能に取り付けられ、正面右側に設けられた施錠装置４を利用して通常は外枠１と係合された閉鎖状態に保持される。
【００１０】
前枠２の正面側には、前枠２の前面域に合わせた方形状をなし中央部に取り付けられたポリカーボネート板やガラス板等の透明板材を通して遊技盤２０を透視可能なガラス扉５が、さらにガラス扉５の下部には遊技球を整列させて１個ずつ前枠２の裏面に設けられた図示しない打球発射装置に導く球皿３０が、ともに左側縁に内蔵されたヒンジ機構により前枠２に対して横開き開閉および着脱が可能に組み付けられる。球皿３０は、前枠２に対して横開き開閉可能な横長長方形の板材の部分である当て板３１と、当て板３１の表面側（パチンコ機ＰＭの正面側）に取り付けられパチンコ機ＰＭの左側の前後方向の幅が大きくなっている遊技球を貯留する皿部３２とから構成される。また、前枠２の下部には下球皿７が設けられ、この下球皿７と並んで遊技球の発射操作を行う操作ハンドル８が取り付けられている。
【００１１】
遊技盤２０は、板厚１９ｍｍ程度の積層合板を所定形状に切断等して、その表面に所定意匠のセルを貼り付けた化粧板（ベニヤとも称される）２１を基板として構成される。化粧板２１の前面側には、帯状の外レール２４ａおよび内レール２４ｂが円弧状に固設され、これらの案内レール２４ａ，２４ｂで囲まれた内側に遊技領域ＰＡが区画される。遊技領域ＰＡには、多数本の釘とともに一般入賞具２６ａや始動入賞具２６ｂ並びにアタッカー２６ｃ等の入賞具２６、および遊技の進行状況に応じて所定の図柄を表示させる図柄表示装置２８などが取り付けられ、遊技領域ＰＡの下端には入賞具２６に入賞せずに落下した遊技球を遊技盤２０の裏面側に排出させるアウト口２７が設けられている。
【００１２】
ガラス扉５は、遊技を行うときにおいては、施錠装置４および図示しないロック機構を利用して前枠２の前面を覆う閉止状態で保持される。また、球皿３０は、遊技を行うときにおいては、当て板３１の前面側に設けられた施錠操作部９のキー操作により後で説明するシャッタユニット４０を利用して施錠され前枠２の前面を覆う閉止状態で保持される。遊技は球皿３０に遊技球を貯留させて操作ハンドル８を回動操作することにより開始され、球皿３０に貯留された遊技球が１球ずつ操作ハンドル８の回動操作角度に応じた強度で遊技領域ＰＡに打ち出されてパチンコゲームが展開される。
【００１３】
以上のように構成されるパチンコ機ＰＭにおいては、球皿３０とガラス扉５との間に異物が侵入されることを防止するために構成された球皿施錠機構が設けられており、以下では、図２〜図８の各図を参照して、パチンコ機ＰＭに設けられた当該球皿施錠機構について詳細に説明する。
【００１４】
ここで、図２は本発明に係る球皿施錠機構を構成するシャッタユニット４０の斜視図で、図３はパチンコ機ＰＭの当て板３１からシャッタユニット４０を取り外して分解した状態における各部の背面図で、図４はシャッタユニット４０を構成する回動アーム８０の周辺図で、図５はシャッタユニット４０を構成するシャッタブレード６０が上動して球皿３０が閉鎖施錠された状態における当て板３１の背面図で、図６はシャッタユニット４０を構成するシャッタブレード６０が下動して球皿３０が解錠された状態における当て板３１の背面図で、図７はシャッタブレード６０が上動して球皿３０が閉鎖施錠された状態における当て板３１周辺の側断面図で、図８はシャッタブレード６０が下動して球皿３０が解錠された状態における当て板３１周辺の側断面図である。
【００１５】
図２および図３に示すように、本発明に係る球皿施錠機構は、昇降変位可能なシャッタブレード６０を備えてユニット化されたシャッタユニット４０を主体とし、このシャッタユニット４０が当て板３１の背面側に左右方向に延びて設けられたシャッタユニット取付部３３に着脱可能に取り付けられる。シャッタユニット取付部３３には、シャッタユニット４０を固着させるための４箇所のビス穴３４ａ，３４ｂ，３４ｃ，３４ｄが設けられている。また、シャッタユニット取付部３３には、当て板３１の背面側に突出する複数の近接リブ３６が左右に延びて設けられている。この近接リブ３６は、シャッタユニット取付部３３にシャッタユニット４０が取り付けられているときには、シャッタユニット４０を構成する後述するシャッタブレード６０に近接する程度の長さを有している（図７および図８参照）。そして、この近接リブ３６は、シャッタブレード６０の動きに対して当て板３１の側からシャッタブレード６０をガイドすることが可能なように横長に延びて形成されている。
【００１６】
シャッタユニット４０は、このシャッタユニット４０の基板となるシャッタベース５０、第１アーム部７１および第２アーム部７２から構成されて、ヘの字型に屈曲した形状のリンクアーム７０、板状のシャッタブレード６０、一端が施錠操作部９に取り付けられ他端が長穴８１を介してリンクアーム７０の第１アーム部７１と係合する回動アーム８０、リンクアーム７０の第２アーム部７２とシャッタベース５０との間に跨って取り付けられる圧縮バネ７３等から構成される。圧縮バネ７３を除く各部材は、ＡＢＳ樹脂等の樹脂材料を用いて射出成形等の成形手段で図示する形状に成型される。
【００１７】
シャッタベース５０は横長長方形の板材で、その左右両側部にはそれぞれ上下２箇所に、シャッタベース５０を当て板３１のシャッタユニット取付部３３に固着させるためのビス孔５１ａ，５１ｂ，５１ｃ，５１ｄが設けられている。シャッタベース５０の略中央部には、突出した円筒軸状の支軸５２が設けられ、リンクアーム７０を軸支可能になっている。また、シャッタベース５０には、一端がリンクアーム７０の第２アーム部７２に取り付けられている圧縮バネ７３を引っ掛けるための係止フック５３が設けられている。さらに、シャッタベース５０の端部とこれに所定の間隔を隔てた位置とに、左右方向の幅が一部異なった左右対称な形状の一対の係合孔５４，５５が上下に延びて形成されている。
【００１８】
シャッタブレード６０は、上下の平坦なプレートが前後にオフセットされたクランク状の形態（図７参照）をなして、ほぼ当て板３１と同じ位の長さで左右に延びている。上側のプレートはガラス扉５のシャッタ係合部５ａと係合して球皿３０を閉止するための平坦な係合部６２を形成し、下側のプレート６１には突出した円筒軸状の支軸６３が設けられ、リンクアーム７０の第２アーム部７２を軸支可能になっている。プレート６１の端部近傍とこれに所定の間隔を隔てた位置とに、左右対称な一対のガイド部６４、６５が設けられている。このガイド部６４、６５には、プレート６１から突出する部分と、さらにそれらの先端がプレート６１の左右方向にそれぞれ折り曲げられた部分とが形成されている（一対のガイド部６４、６５のうち、一方のガイド部６４は左方に折り曲げられ、他方のガイド部６５は右方に折り曲げられた構造を有している。）。シャッタブレード６０の背面側から視て左側には、上方に開口した開口部６６が形成され、図２に示すように、この開口部６６を通して回動アーム８０が当て板３１の正面側から背面側に向かって施錠操作部９の裏側に取り付けられた構造になっている。
【００１９】
リンクアーム７０には、スラスト方向に突出した円筒ボス状の軸受部７４，７５が２箇所設けられている。このうち軸受部７４は、シャッタベース５０に突出成型された支軸５２に嵌合支持される。また、軸受部７５は、シャッタブレード６０に突出成型された支軸６３に嵌合支持される。さらに、第１アーム部７１の端部には回動アーム８０の長穴８１と係合する突出した円筒軸状の支軸７６が設けられている。
【００２０】
回動アーム８０は、施錠操作部９に取り付け可能な円筒軸状の部分と、長穴８１を有するアーム部分とから構成される。図２および図４に示すように、鍵穴を有してこの鍵穴に鍵を差した状態で球皿３０を施錠もしくは解錠するための回動操作が可能な施錠操作部９の裏側に回動アーム８０が取り付けられており、施錠操作部９の回動操作に応じて回動アーム８０のアーム部分を揺動させることができる。回動アーム８０のアーム部分が揺動されると、回動アーム８０の長穴８１と係合するリンクアーム７０の第１アーム部７１の支軸７６を介して施錠操作部９からの操作力がリンクアーム７０に伝達され、リンクアーム７０を支軸５２を揺動中心として上下に揺動させることができる。すなわち、施錠操作部９の施錠もしくは解錠操作を行うと、第１アーム部７１と回動アーム８０とは、図４に実線で示すような状態から鎖線で示すような状態に揺動される。
【００２１】
以上のように構成されるシャッタユニット４０の組み付けは、軸受部７５をシャッタブレード６０の支軸６３に取り付け、軸受部７４をシャッタベース５０の支軸５２に取り付けた状態で圧縮バネ７３を第２アーム部７２とシャッタベース５０の係止フック５３との間に取り付ける。このとき、シャッタブレード６０の一対のガイド部６４、６５を、シャッタベース５０の一対の係合孔５４，５５にそれぞれ嵌合させて、ガイド部６４、６５がシャッタベース５０の背面側に係合されるようにする。そして、施錠操作部９の裏側に回動アーム８０を取り付ける。この状態で、長穴８１と第１アーム部７１の支軸７６とを係合させる。こうして当て板３１にシャッタユニット４０が組み付けられた状態で、シャッタベース５０のビス穴３４ａ，３４ｂ，３４ｃ，３４ｄと、ビス３５ａ，３５ｂ，３５ｃ，３５ｄとを螺合させる。このようにして、シャッタユニット４０を当て板３１のシャッタユニット取付部３３に取り付けることができる。
【００２２】
このように当て板３１に取り付けられたシャッタユニット４０は、図５に示すように、シャッタベース５０の支軸５２にリンクアーム７０の軸受部７４が枢結され、シャッタブレード６０の支軸６３にリンクアーム７０の軸受部７５が枢結され、さらに、リンクアーム７０の第１アーム部７１の支軸７６と回動アーム８０の長穴８１とが係合されることで、回動アーム８０が施錠操作部９の操作により回動され、リンクアーム７０が支軸５２を中心として上下に揺動する。
【００２３】
そして、リンクアーム７０の上下方向の揺動において、リンクアーム７０の第２アーム部７２とシャッタベース５０の係止フック５３との間に圧縮バネ７３が渡されて取り付けられていることで、リンクアーム７０が支軸５２を中心として反時計方向に回動するように常時付勢されて、シャッタブレード６０がシャッタベース５０に対して上動する方向に（ガラス扉５の方向に）常に付勢支持されるようになっている。
【００２４】
球皿３０およびガラス扉５が前枠２に対して閉止され、シャッタブレード６０が球皿３０の閉止位置（シャッタベース５０に対して上動した状態）にある状態で、施錠操作部９を反時計方向に回動させると（パチンコ機ＰＭの正面から視て時計方向に回動させる解錠操作を行うと）、施錠操作部９の回動により押圧された支軸７６が施錠操作部９の長穴８１内を上動することで、リンクアーム７０が圧縮バネ７３の弾性力に抗しつつ支軸５２を中心として時計方向に回動する。リンクアーム７０の回動とともに支軸６３を介して押圧されたシャッタブレード６０が、その係合部６２上面が当て板３１の上面にほぼ一致する高さまで下動する。このとき、シャッタブレード６０は、シャッタベース５０に係合するガイド部６４、６５と、当て板３１の側からシャッタブレード６０に近接する近接リブ３６とによってガイドされるように移動する。
【００２５】
このようにして球皿３０が解錠される位置に移動したシャッタブレード６０を図６に示す。図６に示すようなシャッタブレード６０が下動した状態は、施錠操作部９を回動操作して回動アーム８０が反時計方向に回動する方向に押圧されている限り（パチンコ機ＰＭの正面から視て時計方向に操作している限り）、保持される。
【００２６】
一方、シャッタブレード６０が下動した状態で、回動アーム８０が反時計方向に回動する方向への施錠操作部９に対する押圧を解放すると（施錠操作を行うと）、圧縮バネ７３の復元力によりリンクアーム７０は支軸５２を中心として反時計方向に回動し、それとともにシャッタブレード６０は元の高さまで上動する。このとき、第１アーム部７１端部の支軸７６は下動し、支軸７６を介して回動アーム８０が押圧されて、回動アーム８０は時計方向に回動して施錠操作部９は回動操作する前の元の状態に戻る。
【００２７】
図７に示すように、ガラス扉５の下端部は、パチンコ機ＰＭの裏側の方向に折り曲げられ、さらにその先端はクランク状の形態をなすシャッタ係合部５ａが形成されている。球皿３０およびガラス扉５が前枠２に閉止された状態では、シャッタブレード６０が上動しているときに、シャッタブレード６０上部の係合部６２とガラス扉５のシャッタ係合部５ａとが対向して係合する。このため、施錠操作部９が施錠操作されてシャッタブレード６０が上動している状態では、球皿３０を図７の左方に向けて開けようしても、係合部６２がシャッタ係合部５ａに当接してこの部分でシャッタブレード６０がシャッタ係合部５ａに引っ掛かるため、球皿３０の移動が規制されて球皿３０は前枠２に対して開放されることはない。
【００２８】
また、このとき図５及び図７に示すように、球皿３０の上部とガラス扉５の下端部との隙間が略全長に渡って塞がれているため、施錠操作部９が施錠操作された場合には球皿３０とガラス扉５との隙間から針金等が侵入されることを防止できるので、パチンコ機内部の回路基板等に対する不正操作が行われるおそれがない。
【００２９】
一方、施錠操作部９が解錠操作された状態では、上述したようにリンクアーム７０等の作用によりシャッタブレード６０が下動し、図８に示すようにシャッタブレード６０の係合部６２の上端面は、シャッタ係合部５ａよりも下方に移動して当て板３１の上端面の高さとほぼ等しくなる。このため、この状態では球皿３０を図８の左方に向けて開けようとした場合に係合部６２がシャッタ係合部５ａに当接することはなく、球皿３０を開放させることが可能である。
【００３０】
なお、本発明の範囲は必ずしも上述した実施形態に限定されるものではない。例えば、上記の実施例では、施錠操作部９の回動操作により回動アーム８０を反時計方向に回動する方向に（パチンコ機ＰＭの正面から視て時計方向に）押圧し続けることでリンクアーム７０を介してシャッタブレード６０を下動させ、施錠操作部９に対する押圧を解放することでシャッタブレード６０を上動させていたが、シャッタブレード６０が上動もしくは下動した状態で固定され、その状態が保持されるような施錠操作部９の回動操作が可能とするように構成してもよい。
【００３１】
また、上記の実施例では、圧縮バネ７３がリンクアーム７０の第２アーム部７２とシャッタベース５０の係止フック５３との間に跨って取り付けられていたが、引張バネをこれらの間に跨って取り付けるようにしてもよい。引張バネを使用する場合には、係止フック５３をリンクアーム７０よりも上方の位置に位置するようにシャッタベース５０に取り付けて、引張バネがリンクアーム７０の第２アーム部７２を引き上げる方向に常に付勢させるようにする。
【００３２】
このようにすれば、圧縮バネ７３を使用した場合と同様に、施錠操作部９を解錠操作するとリンクアーム７０が引張バネの弾性力に抗しつつ支軸５２を中心として時計方向に回動され、シャッタブレード６０の係合部６２上面を当て板３１の上面にほぼ一致する高さまで下動させることができる。一方、施錠操作部９の施錠操作がなされると、引張バネの復元力によりリンクアーム７０が支軸５２を中心として反時計方向に回動し、それとともにシャッタブレード６０は当て板３１に対して元の高さまで上動し、ガラス扉５のシャッタ係合部５ａと対向する。
【００３３】
さらに、上記の実施例では、当て板３１にシャッタユニット４０を取り付けて構成したものであったが、球皿３０の開閉が規制され、なおかつ球皿３０とガラス扉５との隙間を塞いで不正操作の防止がなされるようにすればよいから、ガラス扉５の裏側にシャッタユニット４０を取り付けて構成したものであってもよい。このような構成によれば、球皿３０の施錠操作部の施錠操作をするときは、ガラス扉５に設けられたシャッタユニット４０を構成するシャッタブレードが当て板３１上部に対向するように下動して球皿３０が開放されないように閉鎖される。このとき、球皿３０とガラス扉５との隙間とが略全長に渡って塞がれて針金等がパチンコ機ＰＭ内部に侵入されるのを防止することができる。一方、球皿３０の施錠操作部の解錠操作をするときは、シャッタブレードが上動して球皿３０を前枠２に対して開放させることができる。
【００３４】
また、シャッタブレード６０の上下動させる機構は上記のような施錠操作部９の操作に連動するものに限られず、他の形態であってもよい。例えば、球皿３０を前枠２に施錠する上下動可能な施錠金具の動きにシャッタブレード６０の上下動を連動させる形態であってもよい。このような場合には、より一層、球皿３０を前枠２に対して強固に閉鎖施錠できるといった効果が得られる。
【図面の簡単な説明】
【００３５】
【図１】本発明に係る球皿施錠機構を備えた弾球遊技機の一例として示すパチンコ機の正面図である。
【図２】上記球皿施錠機構を構成するシャッタユニットの斜視図である。
【図３】上記パチンコ機の当て板から上記シャッタユニットを取り外して分解した状態における各部の背面図である。
【図４】上記シャッタユニットを構成する回動アームの周辺図である。
【図５】上記シャッタユニットを構成するシャッタブレードが上動して球皿が閉鎖施錠された状態における当て板の背面図である。
【図６】上記シャッタブレードが下動して球皿が解錠された状態における当て板の背面図である。
【図７】上記シャッタユニットを構成するシャッタブレードが上動して球皿が閉鎖施錠された状態における当て板周辺の側断面図である。
【図８】上記シャッタブレードが下動して球皿が解錠された状態における当て板周辺の側断面図である。
【符号の説明】
【００３６】
ＰＭ  パチンコ機（弾球遊技機）
２    前枠
５    ガラス扉
５ａ  シャッタ係合部（ガラス扉）
９    施錠操作部
３０  球皿
３１  当て板（球皿）
３２  皿部（球皿）
４０  シャッタユニット（シャッタ装置）
５０  シャッタベース
【図１】
2005245801.tif 000003
【図２】
2005245801.tif 000004
【図３】
2005245801.tif 000005
【図４】
2005245801.tif 000006
【図５】
2005245801.tif 000007
【図６】
2005245801.tif 000008
【図７】
2005245801.tif 000009
【図８】
2005245801.tif 000010